(57)【要約】【課題】  従来機構からのサイズの大型化、コストアップを抑えながらも一周のポジション数の可変機構を持った電子ダイヤル５０を有する撮像装置を提供すること。【解決手段】  複数のクリック板の各々の凹凸部の電子ダイヤルの回転方向の相対角度の変更に伴って、電子ダイヤル５０の回転検出手段の電気信号の発生間隔が変更される。【選択図】  図１
2019061136.tif 000002
【特許請求の範囲】
【請求項１】
回転スイッチと、各々が複数の凹凸部を有する複数のクリック板と、前記回転スイッチの回転に伴って前記複数のクリック板の凹凸部に係脱することでクリック感を発生させる係合部材と、前記回転スイッチの回転に伴って配線板上を摺動する摺動部材と、前記摺動部材が前記配線板上を摺動することにより発生する電気信号の変化により前記回転スイッチの回転を検出する回転検出手段と、前記複数のクリック板の各々の凹凸部の前記回転スイッチの回転方向の相対角度を変更する変更手段と、を有する電子機器であって、
前記複数のクリック板の各々の凹凸部の前記回転スイッチの回転方向の相対角度の変更に伴って、前記回転スイッチの回転量に対する前記電気信号の発生間隔が変更されることを特徴とする電子機器。
【請求項２】
前記変更手段は、前記複数のクリック板の各々の複数の凹凸部の前記回転方向の位相が揃った第１の状態と、前記複数のクリック板の各々の複数の凹凸部の前記回転方向の位相がずれた第２の状態とが変更可能であり、
前記第２の状態における前記回転スイッチの回転量に対する前記電気信号の発生間隔が前記第１の状態における前記回転スイッチの回転量に対する前記電気信号の発生間隔よりも短い請求項１に記載の電子機器。
【請求項３】
前記複数のクリック板は、第１のクリック板と、第２のクリック板からなり、
前記第１のクリック板及び第２のクリック板は、前記回転スイッチの回転軸方向に同軸上に重ねられており、
前記第１のクリック板及び第２のクリック板の各々の複数の凹凸部は、円周状に等間隔に並んでおり、
前記第１のクリック板及び第２のクリック板の各々の複数の凹凸部は、同一形状であり、
前記変更手段は、前記第１のクリック板及び第２のクリック板の各々の複数の凹凸部の前記回転方向の位相が揃った第１の状態と、前記第１のクリック板及び第２のクリック板の各々の複数の凹凸部の前記回転方向の半位相がずれた第２の状態とが変更可能であり、
前記第２の状態における前記回転スイッチの回転量に対する前記電気信号の発生間隔が前記第１の状態における前記回転スイッチの回転量に対する前記電気信号の発生間隔よりも短い請求項２に記載の電子機器。
【請求項４】
前記第１の状態における前記回転スイッチの回転により制御される機能と前記第２の状態における前記回転スイッチの回転により制御される機能は同じである請求項２に記載の電子機器。
【請求項５】
前記第１の状態における前記回転スイッチの回転により制御される第１の機能と前記第２の状態における前記回転スイッチの回転により制御される第２の機能は異なる請求項２に記載の電子機器。
【請求項６】
前記変更手段は、前記複数のクリック板の各々の凹凸部の前記回転スイッチの回転方向の相対角度の変更を行うと同時に、前記第１の機能と前記第２の機能の変更を行う請求項５に記載の電子機器。
【請求項７】
前記変更手段は、その変更によって、前記複数のクリック板の各々の凹凸部の前記回転スイッチの回転方向の相対角度を変更する機構以外の何らかの機構を機械的に制御することがない請求項１乃至６の何れか一項に記載の電子機器。
【請求項８】
前記第１の状態における前記回転スイッチの回転により制御される機能は、ＩＳＯ感度であり、前記第２の状態における前記回転スイッチの回転により制御される機能は、シャッタースピードである請求項１乃至７の何れか一項に記載の電子機器。
【請求項９】
前記回転スイッチは、第１のスイッチと第２のスイッチを備え、前記第１のスイッチを保持した状態において、前記第２のスイッチを操作することで、前記変更手段による前記複数のクリック板の各々の凹凸部の前記回転スイッチの回転方向の相対角度の変更が行われる請求項１乃至８の何れか一項に記載の電子機器。
【請求項１０】
請求項１乃至９の何れか一項に記載の電子機器を有する撮像装置。
【請求項１１】
前記回転スイッチは、前記撮像装置を構成するレンズ鏡筒の周囲に配置された回転リングである請求項１０に記載の撮像装置。
【請求項１２】
回転スイッチと、各々が複数の凹凸部を有する複数のクリック板と、前記回転スイッチの回転に伴って前記複数のクリック板の凹凸部に係脱することでクリック感を発生させる係合部材と、前記回転スイッチの回転検知により電気信号を生成する配線板と、前記回転スイッチの回転に伴って前記配線板上を摺動する摺動部材と、前記複数のクリック板の各々の凹凸部の前記回転スイッチの回転方向の相対角度を変更する変更手段と、を有する電子機器であって、
前記変更手段は、前記複数のクリック板の各々の複数の凹凸部の前記回転方向の位相が揃った第１の状態と、前記複数のクリック板の各々の複数の凹凸部の前記回転方向の位相がずれた第２の状態とが変更可能であり、
前記第１の状態におけるクリック感の強度が前記第２の状態におけるクリック感の強度よりも大きいことを特徴とする電子機器。
【請求項１３】
前記第２の状態は、前記第１の状態に比べて前記係合部材が前記複数のクリック板に係合する係合部の前記回転スイッチの回転方向の凹凸を平坦化している請求項１２に記載の電子機器。
【請求項１４】
前記回転スイッチは、第１のスイッチと第２のスイッチを備え、前記第１のスイッチを保持した状態において、前記第２のスイッチを操作することで、前記変更手段による前記複数のクリック板の各々の凹凸部の前記回転スイッチの回転方向の相対角度の変更が行われる請求項１２又は１３に記載の電子機器。
【請求項１５】
請求項１２乃至１４の何れか一項に記載の電子機器を有する撮像装置。
【請求項１６】
前記回転スイッチは、前記撮像装置を構成するレンズ鏡筒の周囲に配置された回転リングである請求項１５に記載の撮像装置。
【発明の詳細な説明】
【技術分野】
【０００１】
本発明は、電子機器の回転スイッチである電子ダイヤルに関し、特に電子ダイヤルのクリック機構に関するものである。
【背景技術】
【０００２】
従来、電子機器の操作部材の一つとして電子ダイヤルと呼称される電気信号式のダイヤル型操作部材が広く採用されている。
【０００３】
一般的にこの電子ダイヤルはクリック機構を有しており、クリック感を伴う１クリック分の操作が行われるとダイヤルは特定の角度だけ回転する。
【０００４】
そして、回転方向に応じて「右回し」もしくは「左回し」の１クリックに該当する電気信号が発生し、この電気信号により回転操作が行われこと検知する。
【０００５】
すなわち、１クリック毎の回転を検知することが出来る分解能を持っている。
【０００６】
電子機器内には、設定値を使用者が選択可能である設定項目に関する情報が保存されており、電子ダイヤルの操作で発生した電気信号の数及び方向に応じて選択中の設定値が変更される。
【０００７】
通常の電子ダイヤルの構成において、１クリック分の回転角度は固定で有るが、ユーザーの状況もしくは使用環境によっては、好まれる回転角度は異なる。
【０００８】
例えば、細かな作業を苦手とするユーザーが使用する場合や、水中、手袋をした状態での使用では大きな回転角度での操作が好ましい。
【０００９】
また、素早く設定作業を行う必要のあるユーザーにとっては小さな回転角度での操作が好ましい。
【００１０】
また、設定値の候補が多数ある設定項目の値を変更する場合には小さな回転角度での操作が好ましく、設定値の候補が少数である設定項目の値を変更する場合には大きな回転角度での操作が好ましい。
【００１１】
このような要求を満たすために、特許文献１の電子ダイヤルでは円盤型のクリック板の裏表に異なる数のクリック溝を配置する。
【００１２】
そして、裏表のどちらに係合部材を付勢するかでダイヤル１周分のポジション数を選択出来る構成を実現している。
【先行技術文献】
【特許文献】
【００１３】
【特許文献１】特開２００８−２６２８３５号公報
【発明の概要】
【発明が解決しようとする課題】
【００１４】
しかしながら、上述の特許文献１に開示された従来技術で構成された電子ダイヤルには、クリック板の表裏に係合部材を接離させる進退構造が必要である。
【００１５】
また、クリック板の表裏どちらが使用されているかを検知し機器の制御を変更する手段が必要である。
【００１６】
さらに、ダイヤル１周のポジション数の変更に電気的に対応する為に特許文献１に記載のロータリーエンコーダーのように分解能が可変の回転角度検出装置が必要である。
【００１７】
ゆえに、特許文献１に記載の電子ダイヤルでは従来の電子ダイヤルに比べ大幅な大型化、高コスト化が不可避である。
【００１８】
そこで、本発明の目的は、従来からのサイズの大型化、コストアップを抑えながらも一周のポジション数の可変機構を持った電子ダイヤルを提供することである。
【００１９】
加えて、クリック感の有り無しを切り替える機構を持った電子ダイヤルを提供することである。
【課題を解決するための手段】
【００２０】
上記目的を達成するために、本発明の電子機器は、回転スイッチと、各々が複数の凹凸部を有する複数のクリック板と、前記回転スイッチの回転に伴って前記複数のクリック板の凹凸部に係脱することでクリック感を発生させる係合部材と、前記回転スイッチの回転に伴って配線板上を摺動する摺動部材と、前記摺動部材が前記配線板上を摺動することにより発生する電気信号の変化により前記回転スイッチの回転を検出する回転検出手段と、前記複数のクリック板の各々の凹凸部の前記回転スイッチの回転方向の相対角度を変更する変更手段と、を有する電子機器であって、
前記複数のクリック板の各々の凹凸部の前記回転スイッチの回転方向の相対角度の変更に伴って、前記回転スイッチの回転量に対する前記電気信号の発生間隔が変更されることを特徴とする。
【発明の効果】
【００２１】
本発明によれば従来機構からのサイズの大型化、コストアップを抑えながら、一周のポジション数の可変機構を持った電子ダイヤルを提供することができる。
【図面の簡単な説明】
【００２２】
【図１】本発明の第１の実施形態にかかわる電子ダイヤルの内観側の斜視図
【図２】本発明の実施形態にかかわる電子機器の筐体の背面斜視図
【図３】本発明の第１の実施形態にかかわる電子ダイヤルの分解斜視図
【図４】本発明の第１の実施形態にかかわる第１、第２のダイヤルの図
【図５】本発明の第１の実施形態にかかわるクリック板及び接片の図
【図６】本発明の第１の実施形態にかかわるプリント配線板の図
【図７】本発明の第２の実施形態にかかわる電子ダイヤルの内観側斜視図
【図８】本発明の第１の実施形態にかかわる電子ダイヤルの断面図
【図９】本発明の第１の実施形態にかかわるフローチャート図
【図１０】本発明の第１の実施形態にかかわるリング式操作部材の図
【発明を実施するための形態】
【００２３】
以下に、本発明の好ましい実施の形態を、添付の図面に基づいて詳細に説明する。
【００２４】
図２は、本発明の実施形態にかかわる電子機器の筐体０１を表す背面斜視図である。
【００２５】
図２は、撮像装置としてのコンパクトデジタルカメラの外観図である。
【００２６】
本実施形態における電子機器の筐体０１は撮像装置の筐体とする。
【００２７】
電子機器の筐体０１の天面外装１１上には、電子機器の筐体０１での撮影を指示するためのレリーズ釦４０が配置されている。
【００２８】
また、電子機器の筐体０１の天面外装１１上には、電子機器の筐体０１でのプログラム上の設定項目に設定された値を変更する為の操作部材である電子ダイヤル５０が配置されている。
【００２９】
電子機器の筐体０１の正面には不図示のレンズが配置されており、電子機器の筐体０１はレリーズ釦４０が操作されると、プログラム上に設定されている撮影条件で撮影を行う。
【００３０】
そして、レンズを通して取得した光線を電子画像に変換して記録する。
【００３１】
また、電子機器の筐体０１の背面外装１２には背面液晶３０が配置されており、取得した電子画像や電子機器の筐体０１に設定されている撮影条件等の項目の設定状況を確認することができる。
【００３２】
装置の使用者は電子ダイヤル５０の操作により、電子機器の筐体０１に設定されている、例えばシャッタースピードやＩＳＯ感度等の撮影条件を変更することが出来る。
【００３３】
背面液晶３０には選択可能な値の候補と、現在選択されている値が表示され、電子ダイヤル５０を右回転又は左回転させることで現在選択されている設定値を変更する。
【実施例１】
【００３４】
以下、図３を参照して、本発明の第１の実施例による、回転スイッチとしての電子ダイヤル５０の構成について説明する。
【００３５】
（電子ダイヤル５０の概要）
図３（ａ）は電子ダイヤル５０の上面側から見た分解斜視図で、図３（ｂ）は下面側から見た分解斜視図である。
【００３６】
天面外装１１には貫通穴である外装ダイヤル穴１１１が開いており、第１のダイヤル５１の回転軸である第１のダイヤル軸部５１１が挿入され回転自在に嵌合される。
【００３７】
回転スイッチとしての電子ダイヤル５０の操作はこの第１のダイヤル５１を使用者が回転させることで行う。
【００３８】
また、第１のダイヤル軸部５１１は円筒形状をしており回転中心には貫通穴である第１のダイヤル軸穴５１２が開いている。
【００３９】
また、ここに第２のダイヤル５２の回転軸である第２のダイヤル軸部５２１が挿入され回転可能に嵌合される。
【００４０】
電子ダイヤル５０の使用者は第２のダイヤル５２の天面に形成されているダイヤルつまみ部５２６を回転操作する。
【００４１】
よって、第１のダイヤル５１に対する第２のダイヤル５２の回転位相を変更することが出来る。
【００４２】
天面外装１１の内観側である外装内観面１１２には外装ダイヤル穴１１１を内観側に延長する円筒形状の凸部である外装軸保持部１１３が配置されている。
【００４３】
さらに、外装内観面１１２には電子ダイヤル５０の回転操作を電気信号に置き換えるためのプリント配線板５３が配置される。
【００４４】
プリント配線板５３は基板面に空いたフレキ位置決め穴５３１と、外装軸保持部１１３とが嵌合することで、天面外装１１内での位置が固定される。
【００４５】
プリント配線板５３と対向する位置には外周に等間隔で並ぶ山谷のカム形状を持った第１のクリック板５４がプリント配線板５３と平行になるように配置される。
【００４６】
第１のクリック板５４には第１のダイヤル５１上に設けられた第１のダイヤルキー部５１４と嵌合する第１のクリック板溝部５５１が設けられている。
【００４７】
そして、第１のダイヤル５１の回転操作に伴って同位相で回転する。
【００４８】
また、第１のクリック板５４のプリント配線板５３との対向面の裏面には、第１のクリック板５４と同じカム形状を持った第２のクリック板５５が配置される。
【００４９】
第２のクリック板５５には第２のダイヤル５２上に設けられた第２のダイヤルキー部５２３と嵌合する第２のクリック板溝部５４１が設けられている。
【００５０】
そして、第２のダイヤル５２の回転操作に伴って同位相で回転する。
【００５１】
さらに、第１のクリック板５４と第２のクリック板５５の間には挟まれるように接片部材５６が配置されている。
【００５２】
接片部材５６は第２のクリック板５５に対して、接片カシメ部５６１とクリック板カシメ部５５２がカシメられることにより固定される。
【００５３】
そして、第２のダイヤル５２と第２のクリック板５５とは同位相で回転する。
【００５４】
第２のダイヤル５２は第１のダイヤル５１、天面外装１１、第１のクリック板５４、第２のクリック板５５を間に挟んだ状態でダイヤル固定ビス５７と組み合わされる。
【００５５】
そして、それぞれの部品は回転軸スラスト方向への動きが規制された状態で保持される。
【００５６】
また、外装内観面１１２にはダイヤル回転軸と直交する方向に延びる溝形状である係合部材収納溝１１５が形成されている。
【００５７】
係合部材の収納溝１１５には係合部材５８１と付勢部材であるコイルスプリング５８２とが収納され、押さえ部材５８３と押さえ部材ビス５８４が係合部材収納溝１１５に蓋をすることにより保持される。
【００５８】
（第１のダイヤル５１、第２のダイヤル５２の概要）
図８は電子ダイヤル５０の断面図である。
【００５９】
前述したように第１のダイヤル５１と第２のダイヤル５２は同軸で嵌合しており、第１のダイヤル５１に対して第２のダイヤル５２は回転位相を変更することが出来る。
【００６０】
また、第１のダイヤル５１の回転に伴って第１のクリック板５４が同位相で回転し、第２のダイヤル５２の回転に伴って第２のクリック板５５及び接片部材５６が同位相で回転する。
【００６１】
複数のクリック板５４、５５は各々が複数の凹凸部を有する。
【００６２】
図４（ａ）は第１のダイヤル５１を上面から見た図で、図４（ｂ）は第２のダイヤル５２を下面から見た図である。
【００６３】
第１のダイヤル５１と第２のダイヤル５２には互いに組み合わさる事で回転角度を規制する回転規制部凹５１３と、回転規制部凸５２２とがそれぞれ形成されている。
【００６４】
回転規制部凹５１３は回転規制部凸５２２よりも大きく、第１のダイヤル５１と第２のダイヤル５２が組み合わさった状態では図８のように回転規制部凹５１３内に回転規制部凸５２２が入り込む。
【００６５】
第１のダイヤル５１に対して第２のダイヤル５２の取り得る回転位相は、回転規制部凸５２２が回転規制部凹５１３の内壁の片端である第１のストッパー面５１３ａに接触した状態から、もう片端の第２のストッパー面５１３ｂに接触した状態の間で規制される。
【００６６】
また、回転規制部凸５２２上には凸状ダイヤル係合部５２５が形成されており、回転規制部凹５１３上には第１の凹状ダイヤル係合部５１６と第２の凹状ダイヤル係合部５１７とが形成されている。
【００６７】
回転規制部凸５２２が第１のストッパー面５１３ａに接触した状態では凸状ダイヤル係合部５２５と第１の凹状ダイヤル係合部５１６とが係合し、第１のダイヤル５１と、第２のダイヤル５２の回転位相が容易に変化しない状態で保持される。
【００６８】
この状態を本発明では電子ダイヤル５０の第１の状態とする。
【００６９】
同様に、回転規制部凸５２２が第２のストッパー面５１３ｂに接触した状態では凸状ダイヤル係合部５２５と第２の凹状ダイヤル係合部５１７とが係合し、第１のダイヤル５１と、第２のダイヤル５２の回転位相が容易に変化しない状態で保持される。
【００７０】
この状態を本発明では電子ダイヤル５０の第２の状態とする。
【００７１】
以上の構成により、本実施形の電子ダイヤル５０は、装置の使用者が第１のダイヤル５１の回転操作を行うと、電子ダイヤルの第１の状態もしくは第２の状態を保ったまま第２のダイヤル５２も追従して同位相で回転する。
【００７２】
また、第１のダイヤル５１を保持固定した状態で第２のダイヤル５２天面のダイヤルつまみ部５２６を回転させることで電子ダイヤル５０の第１の状態と第２の状態を切り替えることが出来る。
【００７３】
（電子ダイヤル５０が組まれた第１の状態の内観側の説明）
図１は電子ダイヤル５０が組まれた状態の内観側斜視図である。
【００７４】
第１のクリック板５４と第２のクリック板５５のカム部は同形状をしており、図１（ａ）で示した電子ダイヤル５０の前記第１の状態ではカム部の山谷がそろった位相で保持される。
【００７５】
係合部材５８１は付勢部材５８２によって第１のクリック板５４と第２のクリック板５５のカム部に付勢されている。
【００７６】
係合部材５８１は、回転スイッチの回転に伴って複数のクリック板の凹凸部に係脱することでクリック感を発生させる。
【００７７】
そして、カム部の回転に伴って係合部材５８１が係合部材収納溝１１５内で進退し、ダイヤル操作のクリック感が発生する。
【００７８】
係合部材５８１は第１のクリック板５４と第２のクリック板５５に安定的に接触する。そのため、第１のクリック板５４と第２のクリック板５５を重ね合わせたのと略同等の厚みを持つ柱状に形成されている。
【００７９】
電子ダイヤル５０の非操作時は、係合部材５８１が第１のクリック板５４及び第２のクリック板５５のカム面の谷部に位置する状態で安定的に保持される。
【００８０】
（電子ダイヤル５０が組まれた第２の状態の内観側の説明）
図１（ｂ）は電子ダイヤル５０の第２の状態を示す図である。
【００８１】
第２の状態では、第１のクリック板５４と第２のクリック板５５はカム部の山谷が半位相ずれた位相で保持される。
【００８２】
電子ダイヤル５０の操作時には、係合部材５８１（規制部）が第１のクリック板５４もしくは第２のクリック板５５のカム部の山を乗り越えることでクリック感が発生する。
【００８３】
電子ダイヤル５０の非操作時は、係合部材５８１が第１のクリック板５４のカム形状山部と半位相ずれた第２のクリック板５５のカム形状山部に挟まれて形成される谷部に位置した状態で安定的に保持される。
【００８４】
第１クリック板５４及び第２のクリック板５５のカム形状が一周でｎ個の山部（凸部）を持っているとする。
【００８５】
そのとき、電子ダイヤル５０の第１の状態での操作時は一回転でのポジション数はｎ個で、１クリック分の回転角度は３６０°／ｎとなる。
【００８６】
また、第２の状態での操作時は電子ダイヤル５０の一回転でのポジション数は２ｎ個で、１クリック分の回転角度は３６０°／２ｎとなる。
【００８７】
本実施例では、複数のクリック板の各々の凹凸部の回転スイッチの回転方向の相対角度を変更可能である。
【００８８】
複数のクリック板の各々の凹凸部の回転スイッチの回転方向の相対角度の変更に伴って、回転スイッチの回転量に対する電気信号の発生間隔が変更される
第１のクリック板５４と、第２のクリック板５５からなる。
【００８９】
第１のクリック板５４及び第２のクリック板５５は、回転スイッチの回転軸方向に同軸上に重ねられている。
【００９０】
第１のクリック板５４及び第２のクリック板５５の各々の複数の凹凸部は、円周状に等間隔に並んでいる。
【００９１】
第１のクリック板５４及び第２のクリック板５５の各々の複数の凹凸部は、同一形状でいる。
【００９２】
第１の及び第２のクリック板の各々の複数の凹凸部の前記回転方向の位相が揃った第１の状態と、第１の及び第２のクリック板の各々の複数の凹凸部の回転方向の半位相がずれた第２の状態とが変更可能である。
【００９３】
第２の状態における回転スイッチの回転検出手段の分解能が第１の状態における前記回転スイッチの回転検出手段の分解能よりも高い。
【００９４】
言い方を換えると、第２の状態における前記回転スイッチの回転量に対する電気信号の発生間隔が第１の状態における回転スイッチの回転量に対する電気信号の発生間隔よりも短い。
【００９５】
複数のクリック板の各々の凹凸部の回転スイッチの回転方向の相対角度の変更を行う同時に、第１の機能と第２の機能の変更を行う。
【００９６】
複数のクリック板の各々の凹凸部の回転スイッチの回転方向の相対角度を変更する機構以外の何らかの機構を機械的に制御することがない。
【００９７】
（第１のクリック板５４と第２のクリック板５５、接片部材５６の説明）
図５は電子ダイヤル５０の第１の状態及び第２の状態における第１のクリック板５４と第２のクリック板５５、接片部材５６の状態を表す図である。
【００９８】
図５（ａ）が第１の状態を、図５（ｂ）が第２の状態をあらわす。
【００９９】
摺動部材としての接片部材５６は、回転スイッチの回転に伴って配線板５３上を摺動する。
【０１００】
回転検出手段（不図示のＣＰＵ）は、摺動部材としての接片部材５６が配線板上を摺動することにより発生する電気信号の変化により回転スイッチ５１、５２の回転を検出する。
【０１０１】
第２のクリック板５４にかしめられる接片部材５６には軸対称に並ぶ一組の第１の接片５６２と、第１の接片５６２よりも外周側に形成される。
【０１０２】
同じく、軸対称に並ぶ一組の第２の接片５６３が形成されている。
【０１０３】
第１の状態では、第１の接片５６２が、第１のクリック板５４に設けられた第１の貫通穴５１８を通ってプリント配線板５３の接触面まで立ち上がる。
【０１０４】
第２の接片５６３は、一部を第１のクリック板５４に押さえられてプリント配線板５３の接触面から退避する。
【０１０５】
逆に、第２の状態では、第２の接片５６３が第１のクリック板５４に設けられた第２の貫通穴５１９を通ってプリント配線板５３の接触面まで立ち上がる。
【０１０６】
第１の接片５６２は一部を第１のクリック板５４に押さえられてプリント配線板５３の接触面から退避する。
【０１０７】
電子ダイヤル５０の回転操作が行われると、第１の状態では第１の接片５６２が、第２の状態では第２の接片５６３がプリント配線板５３の接触面上を摺動する。
【０１０８】
第１の接片５６２は、先端が三つ又に分かれており、内側から接点５６２ａ、５６２ｂ、５６２ｃが存在する。
【０１０９】
第２の接片５６３も同様に先端が三つ又に分かれており、内側から接点５６３ａ、５６３ｂ、５６３ｃが存在する。
【０１１０】
（プリント配線板５３の説明）
図６はプリント配線板５３の図である。
【０１１１】
プリント配線板５３の接片摺動面には内側から導体露出部である第１パターン５３３、第２パターン５３４、第三パターン５３５、第四パターン５３６、第五パターン５３７が配置されている。
【０１１２】
それぞれのパターンは電気的に第１パターン５３３が信号１、第２パターン５３４が基準電位、第三パターン５３５が信号２、第四パターン５３６が基準電位、第五パターン５３７が信号３を有する。
【０１１３】
電子ダイヤル５０が第１の状態に設定されており、係合部材５８１が第１のクリック板５４及び第２のクリック板５５の谷部で停止している。
【０１１４】
その場合には、第１の接片５６２の接点５６２ａ、５６２ｂ、５６２ｃは全て第２のパターン５３４上に位置している。
【０１１５】
電子ダイヤル５０の１クリック分の回転操作を行うと、接点５６２ａは第２のパターン５３４上から第１パターン５３３上を通過し第２のパターン５３４上に戻る。
【０１１６】
接点５６２ａが第１パターン５３３上にある間は第１のパターン５３３と第２のパターン５３４は第１の接片５６２を介して電気的に接続される。
【０１１７】
そのため、信号１の電位は基準電位と等しくなる。
【０１１８】
一方、接点５６２ｃは第２のパターン５３４上から第三パターン５３５上を通過し第２のパターン５３４上に戻る。
【０１１９】
接点５６２ｃが第三パターン５３５上にある間は、信号１と同様に信号２の電位は基準電位と等しくなる。
【０１２０】
一方、接点５６２ｂは常に第２パターン５３４上を摺動する。
【０１２１】
電子機器の筐体１は上記の信号１と信号２の電位変化をもって、電子ダイヤル５０の操作が為されたことを検出する。
【０１２２】
また、電子ダイヤル５０の１クリック分の回転中に接点５６２ａと接点５６２ｃがそれぞれ第１のパターン５３３及び第三のパターン５３５と接触終了するタイミングがずれるように各パターンの形状が決められている。
【０１２３】
電子機器の筐体１は信号１と信号２の電位変化の検出時に、どちらの電位変化が先に終了するかで電子ダイヤル５０の右回転操作、左回転操作を判別する。
【０１２４】
電子ダイヤル５０が第２の状態に設定されている。
【０１２５】
その場合には、前述したように電子ダイヤル５０は係合部材５８１が第１のクリック板５４と第２のクリック板５５のカム形状山部に挟まれた谷部に位置した状態で停止する。
【０１２６】
この時、第２の接片５６３の接点５６３ａ、５６３ｂ、５６３ｃは全て第四のパターン５３６上に位置している。
【０１２７】
第２の状態で電子ダイヤル５０の１クリック分の回転操作を行うと接点５６３ａは第四パターン５３６上から第三のパターン５３５上を通過し第四パターン５３６上に戻る。
【０１２８】
接点５６３ａが第三のパターン５３５上にある間は、第三のパターン５３５と第四のパターン５３６は第２の接片５６３を介して電気的に接続されるため、信号２の電位は基準電位と等しくなる。
【０１２９】
一方、接点５６３ｃは第四パターン５３６上から第五パターン５３７上を通過し第四パターン５３６上に戻る。
【０１３０】
接点５６３ｃが第五パターン５３７上ある間は、第五のパターン５３７と第四のパターン５３６は第２の接片５６３を介して電気的に接続されるため、信号３の電位は基準電位と等しくなる。
【０１３１】
一方、接点５６３ｂは常に第四パターン５３６上を摺動する。第２の状態での電子機器の筐体１の電子ダイヤル５０の操作検出及び回転方向の判別は第１の状態と同じ方法で信号２及び信号３の電位変化を用いて行う。
【０１３２】
プリント配線板５３には電子ダイヤル５０の１回転でｎポジションの第１の状態と１回転で２ｎポジションの第２の状態のそれぞれの状態での１クリック分の回転角度に対応するようにパターンが形成されている。
【０１３３】
すなわち、第１の接片５６２の摺動部である第１のパターン５３３、第２のパターン５３４、第三のパターン５３５には電子ダイヤル５０の１周分の操作でｎ回分の電気信号の変化が生じるようにパターンが形作られている。
【０１３４】
これにより第１の状態では電子ダイヤル５０は１／ｎ回転毎に回転を検知する分解能を持つ。
【０１３５】
そして、第２の接片５６３の摺動部である第三のパターン５３５、第四のパターン５３６、第五のパターン５３７には電子ダイヤル５０の１周分の操作で２ｎ回分の電気信号の変化が生じるようにパターンが形作られている。
【０１３６】
これにより第２の状態では電子ダイヤル５０は１／２ｎ回転毎に回転を検知する分解能を持つ。
【０１３７】
電子ダイヤル５０操作時の電子機器の筐体０１での制御をフローチャートにまとめると図９となる。
【０１３８】
ＳＴＥＰ０１にて電子機器の筐体０１の操作が開始される。
【０１３９】
そして、ＳＴＥＰ０２にて電子ダイヤル５０が第１の状態に選択されている場合は、第１のクリック板５４と第２のクリック板５５の位相が揃った状態にあるため電子ダイヤル５０は１周でｎポジションとなる（ＳＴＥＰ０３）。
【０１４０】
第１の状態でＳＴＥＰ０４の電子ダイヤル５０の回転操作が行われる。そして、第１の接片５６２が第１パターン５３３、第２パターン５３４、第三パターン５３５上を摺動するため１／ｎ回転毎に回転方向に応じた信号１信号２の電位変化発生が発生する（ＳＴＥＰ０５）。
【０１４１】
電子機器の筐体０１は信号１信号２の電位変化により電子ダイヤル５０の第１の状態での操作を検知する（ＳＴＥＰ０６）。
【０１４２】
そして、電子ダイヤル５０の第１の状態に関連付けられた設定項目の設定値を操作量・操作方向に応じて変更する（ＳＴＥＰ０７）。
【０１４３】
ＳＴＥＰ０２で電子ダイヤル５０が第１の状態に選択されていない場合は、電子ダイヤル５０は第２の状態である（ＳＴＥＰ０９）。
【０１４４】
そして、第１のクリック板５４と第２のクリック板５５の位相が反位相ずれた状態にあるため、電子ダイヤル５０は１周で２ｎポジションとなる（ＳＴＥＰ１０）。
【０１４５】
第２の状態でＳＴＥＰ１１の電子ダイヤル５０の回転操作が行われる。そして、第２の接片５６３が第三パターン５３５、第四パターン５３６、第五パターン５３７上を摺動し、１／２ｎ回転毎に回転方向に応じた信号２信号３の電位変化発生が発生する（ＳＴＥＰ１２）。
【０１４６】
電子機器の筐体０１は、信号２、信号３の電位変化により電子ダイヤル５０の第２の状態での操作を検知し（ＳＴＥＰ１３）、操作量・操作方向に応じて第２の状態に関連付けられた設定項目の設定値を変更する（ＳＴＥＰ１４）。
【０１４７】
ＳＴＥＰ０７、ＳＴＥＰ１４終了後及びＳＴＥＰ０４、ＳＴＥＰ１１で電子ダイヤル５０の操作が行われなかった場合はＳＴＥＰ０８に進み、電子機器の筐体０１は操作待機状態となる。
【０１４８】
以上のような構成により本発明の実施例として記載した電子撮像装置の使用者は、状況に応じて電子ダイヤル５０の１クリック分の回転角度及びそれに応じた回転検知の分解能を第１の状態と第２の状態で変化させる。
【０１４９】
従って好ましい操作感及び敏感度でダイヤル操作を行うことが出来る。
【０１５０】
例えば、誤操作防止を優先させたい使用者は電子ダイヤル５０を第１の状態に設定して使用すれば良いし、迅速な操作を優先させたい使用者は第２の状態に設定して使用すれば良い。
【０１５１】
また、電子ダイヤル５０が第１の状態と第２の状態のどちらに設定されているかで、ダイヤル操作で設定を変更する項目を異ならせてもよい。
【０１５２】
例えば、第１の状態では設定項目を選択候補の少ないＩＳＯ感度とし、第２の状態ではより選択候補の多いシャッタースピードを設定項目とすれば装置使用者の利便性を高めることが出来る。
【０１５３】
他にも、一つの設定項目の変更を行う場合であっても電子ダイヤル５０の第１の状態と第２の状態とで１クリック分の操作での設定値の変更量を異ならせてもよい。
【０１５４】
例えば、電子ダイヤル５０で電子機器の筐体１に設定された露出値を変更する。
【０１５５】
その場合に、第１の状態では１クリックを１段分の変化量、第２の状態では１クリックを１／３段分の変化量とすることで装置使用者はより直観的に設定値の変更操作を行うことが出来る。
【０１５６】
一般的な電子撮像装置において電子ダイヤル５０に適した操作は前述したＩＳＯ感度やシャッタースピード、露出値、絞り値等の撮影条件の変更操作の他に、記録画像の再生時の送り操作、合焦範囲の選択、画角の変更等がある。
【０１５７】
これらの電子ダイヤル５０の第１の状態に関連付けられた設定項目と第２の状態に関連付けられた設定項目及びそれぞれの変化量は予め電子機器の筐体０１に定められた物でも良いし、電子機器の筐体０１の使用者が任意に定められるようにしてもよい。
【０１５８】
本実施例では第１のクリック板５４と第２のクリック板５５の２枚のクリック板を重ねた構成としたが、３枚以上のクリック板を重ねた構成にしてもよい。
【０１５９】
例えば、３枚のクリック板を重ねた構成であれば、カム形状の位相が揃った状態から１／３位相ずつずらすことによって、一周で３倍差のクリック数を実現できる。
【０１６０】
また、本発明による第１の実施例の回転スイッチは図１０に示したレンズ鏡筒６０周りに配された電子リング７０のような構成でもよい。
【０１６１】
電子リング７０の構成は電子ダイヤル５０と同様に、第１のリング７１に対し第２のリング７２の相対角度を第２のリング７２上に突出したリングつまみ部７３を回転操作することで変更することが可能である。
【０１６２】
また、リングつまみ部７３の操作により、第１のクリック板５４と第２のクリック板５５のカム部の山谷が揃った第１の状態と半位相ずれた第２の状態とで切り替わる。
【０１６３】
電子リング７０を第１の状態で使用するか、第２の状態で使用するかによって電子リング７０の一周分のクリック数を変更することが出来る。
【０１６４】
回転スイッチは、撮像装置を構成するレンズ鏡筒の周囲に配置された回転リングであっても良い。
【実施例２】
【０１６５】
以下、図７を参照して、本発明の第２の実施例による、電子ダイヤル５０の構成について説明する。
【０１６６】
本発明の第２の実施例による電子ダイヤル５０、は第１の実施例による電子ダイヤル５０と類似構成であり、第１のクリック板５４及び第２のクリック板５５のカム形状が第１の実施例と異なる。
【０１６７】
第１のクリック板５４のカム形状は円周上にｎ個の凹を設けた形状になっている。
【０１６８】
また、一つの凹部により切り欠かれる円周上の円弧の長さは、２つの凹部に挟まれた切り欠かれてない領域の円周上の円弧の長さよりも短くなるように凹形状が形成されている。
【０１６９】
第２のクリック板５５のカム形状は第１のクリック板５５と同一である。
【０１７０】
電子ダイヤル５０の第１の状態では第１のクリック板５４及び第２のクリック板５５の凹部の位相が重なる。
【０１７１】
そして、一回転分の操作でｎ回分のクリック感を伴うクリック操作を行うことが出来る。
【０１７２】
電子ダイヤル５０の第２の状態では第１のクリック板５４と第２のクリック板５５とが半位相ずれることにより、一方の凹部をもう一方の切り欠かれていない領域で覆う配置になる。
【０１７３】
配線板５３は、回転スイッチとしての電子ダイヤル５０の回転検知により電気信号を生成する。
【０１７４】
これによりで第１のクリック板５４及び第２のクリック板５５で形成される凹部の深さは第１の状態よりも第２の状態は浅くなり、電子ダイヤル５０の操作時に発生するクリック感の強度は第１の状態よりも第２の状態が小さくなる。
【０１７５】
また、電子ダイヤル５０の第２の状態で第１のクリック板５４と第２のクリック板５５とが一方の凹部をもう一方の切り欠かれていない領域で完全に覆う構成であればカム形状から係合部材５８１が落ち込む谷間が存在しなくなる。
【０１７６】
ゆえに、電子ダイヤル５０の回転操作を行ってもクリック感が発生しなくなる。
【０１７７】
また、第２の実施例の電子ダイヤル５０の操作部材の構成は第１の実施例の第１のダイヤル５１と第２のダイヤル５２と同構成である。
【０１７８】
装置使用者が第１のダイヤル５１の回転操作を行うと、電子ダイヤル５０の第１の状態もしくは第２の状態を保ったまま第２のダイヤル５２も追従して同位相で回転する。
【０１７９】
また、第１のダイヤル５１を保持固定した状態で第２のダイヤル５２天面のダイヤルつまみ部５２６を回転させることで電子ダイヤル５０の第１の状態と第２の状態を切り替えることが出来る。
【０１８０】
以上の第２の実施例の電子ダイヤルの構成によれば使用者はクリック感を有するダイヤル回転操作とクリック感を伴わないダイヤル回転操作を選択することが出来る。
【０１８１】
電子機器の筐体０１は電子ダイヤル５０の第１の状態もしくは第２の状態においての回転操作によって、それぞれ第１の状態に関連付けられた設定項目もしくは第２の状態に関連付けられた設定項目の変更を行う。
【０１８２】
電子撮像装置においては例えば第２の状態での電子ダイヤル５０の回転操作に動画撮影時の撮影条件変更機能を割り当てることで、動画撮影中の電子ダイヤル５０操作によるクリック音の発生を防ぐことが出来る。
【０１８３】
また、第２の状態では電子ダイヤル５０の分解能をクリックのポジション数に合わせる必要が無いため分解能を上げることが可能で、レンズのズーム機能等を割り当てればアナログに近い感覚で操作をすることが出来る。
【０１８４】
また、本発明による第２の実施例の回転スイッチは第１の実施例と同様にレンズ鏡筒６０周りに配された電子リング７０のような構成でもよい。
【０１８５】
第１のクリック板５４と第２のクリック板５５の構成も、第２の状態では第１のクリック板５４と第２のクリック板５５とが半位相ずれることにより、一方の凹部をもう一方の切り欠かれていない領域で覆う構成となる。
【０１８６】
ユーザーは電子リング７０が第１の状態か第２の状態かでクリック感を伴うクリック操作を行うか、クリック感を伴わないダイヤル回転操作かを選択することが出来る。
【０１８７】
本実施例では、第１の状態におけるクリック感の強度が第２の状態におけるクリック感の強度よりも大きい。
【０１８８】
第２の状態は、第１の状態に比べて係合部材５８１が複数のクリック板に係合する係合部の回転スイッチの回転方向の凹凸を平坦化している。
【０１８９】
以上、本発明の好ましい実施形態について説明したが、本発明はこれらの実施形態に限定されず、その要旨の範囲内で種々の変形及び変更が可能である。
【符号の説明】
【０１９０】
１  電子機器の筐体
５０  電子ダイヤル
５１  第１のダイヤル
５２  第２のダイヤル
５３  プリント配線板
５４  第１のクリック板
５５  第２のクリック板
５６  接片部材
５８１  係合部材
５８２  コイルスプリング
【図１】
2019061136.tif 000003
【図２】
2019061136.tif 000004
【図３】
2019061136.tif 000005
【図４】
2019061136.tif 000006
【図５】
2019061136.tif 000007
【図６】
2019061136.tif 000008
【図７】
2019061136.tif 000009
【図８】
2019061136.tif 000010
【図９】
2019061136.tif 000011
【図１０】
2019061136.tif 000012